(57)【要約】【課題】画像処理に利用される特徴量のデータ量や画像処理の演算時間が増大する場合に、入力画像全体の特徴量に基づいた画像処理を行う。【解決手段】画像表示装置は、２台以上の画像表示装置によって１つの画像を表示するシステムを構成し、特徴量送受信を行う送受信処理のモードを決定する決定手段と、モードに基づいて入力画像から特徴量を取得する取得手段と、送受信処理のモードに基づいて他の画像表示装置との間で特徴量を送受信する送受信手段と、取得および受信した特徴量に基づいて入力画像を処理する画像処理手段と、画像処理手段に処理された入力画像に基づいて画像を表示する表示手段とを有し、モードは第１モードと第２モードを含み、第１モードは送受信１回あたりの特徴量のデータ量が前記第２モードに比べ少なく、第２モードは時間あたりの特徴量送受信の回数が第１モードと比べ少ないことを特徴とする。【選択図】図１
2019041365.tif 000002
【特許請求の範囲】
【請求項１】
２台以上の画像表示装置によって１つの画像を表示するシステムを構成する画像表示装置であって、
特徴量送受信を行う送受信処理のモードを決定する決定手段と、
前記送受信処理のモードに基づいて入力画像から特徴量を取得する取得手段と、
前記送受信処理のモードに基づいて他の画像表示装置との間で、特徴量を送受信する送受信手段と、
前記取得手段で取得した特徴量、および前記送受信手段で他の画像表示装置から受信した特徴量に基づいて前記入力画像を処理する画像処理手段と、
前記画像処理手段に処理された前記入力画像に基づいて画像を表示する表示手段と、
を有し、
前記送受信処理のモードは、第１モードと第２モードを含み、
前記第１モードは、送受信１回あたりの特徴量のデータ量が前記第２モードに比べ少なく、
前記第２モードは、時間あたりの特徴量送受信の回数が前記第１モードと比べ少ない、
ことを特徴とする画像表示装置。
【請求項２】
前記決定手段は、
前記入力画像のコンテンツ種別が、動画であれば、前記送受信処理のモードを第１モードに切り替え、
前記入力画像のコンテンツ種別が、静止画であれば、前記送受信処理のモードを第２モードに切り替える、
ことを特徴とする請求項１に記載の画像表示装置。
【請求項３】
入力画像のシーンチェンジを検出するシーンチェンジ検出手段を備え、
前記決定手段は、
シーンチェンジが検出された場合は、前記送受信処理のモードを、前記第１モードに切り替え、
あらかじめ設定した期間、シーンチェンジが検出されない場合は、前記送受信処理のモードを、前記第２モードに切り替える、
ことを特徴とする請求項１または請求項２に記載の画像表示装置。
【請求項４】
前記決定手段は、ユーザからの入力に基づき、前記送受信処理のモードを切り替えることを特徴とする請求項１から３のいずれか１項に記載の画像表示装置。
【請求項５】
前記決定手段は、前記送受信処理のモード、画像表示装置の総数、および画像表示装置間のデータ転送速度に基づいて、前記データ量を決定する請求項１から４のいずれか１項に記載の画像表示装置。
【請求項６】
前記取得手段は、入力画像をブロックごとに分割した各ブロックの特徴量を取得するものであり、
前記取得手段は、前記決定手段により決定されたデータ量と、１ブロックあたりのあらかじめ設定された特徴量のデータ量に基づき、入力画像のブロック分割数を決定し、
前記送受信手段は、前記取得手段で取得した各ブロックの特徴量を送受信することを特徴とする請求項１から５のいずれか１項に記載の画像表示装置。
【請求項７】
マルチディスプレイシステムにおける自身の位置に応じて、前記画像表示装置の画面の複数の抽出領域を設定する第１設定手段をさらに備え、
前記取得手段は前記抽出領域に対応する前記入力画像の特徴量を取得する、
ことを特徴とする請求項１から６のいずれか１項に記載の画像表示装置。
【請求項８】
他の画像表示装置とマルチディスプレイシステムを構成する画像表示装置であって、
入力画像を取得する第１取得手段と、
前記マルチディスプレイシステムにおける自身の位置に応じて、前記画像表示装置の画面の複数の抽出領域を設定する第１設定手段と、
各抽出領域に対応する前記入力画像の第１特徴量を他の画像表示装置に出力する出力手段と、
前記第１特徴量を用いて前記入力画像を処理する画像処理手段と、
前記画像処理手段によって処理された前記入力画像に基づいて画像を表示する表示手段と、
を備えることを特徴とする画像表示装置。
【請求項９】
前記他の画像表示装置に入力された画像の第２特徴量を取得する第２取得手段をさらに備え、
前記画像処理手段は、前記第１特徴量と前記第２特徴量とを用いて、前記入力画像を処理することを特徴とする請求項８に記載の画像表示装置。
【請求項１０】
前記第１設定手段は、前記画面のうち前記他の画像表示装置から所定の距離より近い第１領域に含まれる前記抽出領域の大きさを、前記他の画像表示装置から所定の距離以上離れた前記画面の第２領域に含まれる前記抽出領域の大きさよりも、小さく設定することを特徴とする請求項７から９のいずれか１項に記載の画像表示装置。
【請求項１１】
前記マルチディスプレイシステムにおける前記画像表示装置の位置を設定する第２設定手段を備えることを特徴とする請求項７から請求項１０のいずれか１項に記載の画像表示装置。
【請求項１２】
前記表示手段は、
光を照射するバックライトと、
前記バックライトから照射された光を変調して画面に画像を表示する表示パネルと、
を備えることを特徴とする請求項１から請求項１１のいずれか１項に記載の画像表示装置。
【請求項１３】
２台以上の画像表示装置によって１つの画像を表示するシステムを構成する画像表示装置が実行する制御方法であって、
特徴量送受信を行う送受信処理のモードを決定する決定工程と、
前記送受信処理のモードに基づいて入力画像から特徴量を取得する取得工程と、
前記送受信処理のモードに基づいて他の画像表示装置との間で、特徴量を送受信する送受信工程と、
前記取得工程で取得した特徴量、および前記送受信工程で他の画像表示装置から受信した特徴量に基づいて前記入力画像を処理する画像処理工程と、
前記画像処理工程で処理された前記入力画像に基づいて画像を表示する表示制御工程と、
を有し、
前記送受信処理のモードは、第１モードと第２モードを含み、
前記第１モードは、送受信１回あたりの特徴量のデータ量が前記第２モードに比べ少なく、
前記第２モードは、時間あたりの特徴量送受信の回数が前記第１モードと比べ少ない、
ことを特徴とする画像表示装置の制御方法。
【請求項１４】
他の画像表示装置とマルチディスプレイシステムを構成する画像表示装置の制御方法であって、
入力画像を取得する取得工程と、
前記マルチディスプレイシステムにおける前記画像表示装置の位置に応じて、前記画像表示装置の画面の複数の抽出領域を設定する設定工程と、
各抽出領域に対応する前記入力画像の第１特徴量を他の画像表示装置に出力する出力工程と、
前記第１特徴量を用いて前記入力画像を処理する画像処理工程と、
前記画像処理工程によって処理された前記入力画像に基づいて画像を表示する表示制御工程と、
を有することを特徴とする画像表示装置の制御方法。
【請求項１５】
前記他の画像表示装置に入力された画像の第２特徴量を取得する第２取得工程をさらに有し、
前記画像処理工程では、前記第１特徴量と前記第２特徴量とを用いて、前記入力画像を処理することを特徴とする請求項１４に記載の画像表示装置の制御方法。
【請求項１６】
請求項１３、請求項１４および請求項１５のいずれか１項に記載の画像表示装置の制御方法の各工程をコンピュータに実行させるためのプログラム。
【発明の詳細な説明】
【技術分野】
【０００１】
本発明は画像表示装置、画像表示装置の制御方法、およびプログラムに関する。
【背景技術】
【０００２】
従来、人間にとって見やすい画像を表示することを目的に、カメラや画像再生装置等の外部機器から画像表示装置へ入力された画像を解析し得られる画像の特徴量に基づいて、画像表示装置が画像処理を施すことが行われている。
【０００３】
この画像処理のひとつにローカルディミング処理があり、透過型の液晶パネルとバックライトを組み合わせた画像表示装置において、入力画像の特徴量に応じてバックライトの光量を動的に制御する処理を行う。ここで、ローカルディミング処理は、表示位置ごとにバックライトの明るさを制御するため、入力画像を複数のブロックに分割した分割ブロックごとに特徴量を取得し、バックライト制御値の算出を行うことが一般的である。
【０００４】
ここで、近年では複数台の画像表示装置を利用して１つの画像を表示するマルチプロジェクションシステムやマルチディスプレイシステムにおいても、入力画像の特徴量に基づいて画像処理することが考案されている。このような場合、各画像表示装置が自身に入力された画像に基づき、個別に画像処理を行ってしまうと、各画像表示装置における画像処理の整合がとれず、隣接部分において不自然な画像になってしまうという問題点がある。
【０００５】
そこで、特許文献１では、表示パネルを駆動する複数のドライバを備える画像表示装置において、各ドライバが表示する画面領域の特徴量を取得し、相互に交換することで、全画面の特徴量に基づいた画像処理を実現する技術が提案されている。
【先行技術文献】
【特許文献】
【０００６】
【特許文献１】特開２０１４−１１５４７７号公報
【発明の概要】
【発明が解決しようとする課題】
【０００７】
特許文献１に基づけば、この問題点に対し、特許文献１に記載されたドライバ間を画像表示装置間と置き換え、各画像表示装置間で取得した特徴量を相互に交換することで、全ての画像表示装置の特徴量に基づいて画像処理を行うことができると考えられる。しかし、特許文献１の画像表示装置の技術は、画像表示装置のドライバ間のデータ転送速度に言及していない。そのため、画像処理の高度化に伴い、画像処理に利用される特徴量のデータ量や画像処理の演算時間が増大していることを踏まえると、データ転送速度によっては取得した特徴量を決められた時間内に転送できないという課題がある。
【０００８】
そこで、本発明は、画像処理に利用される特徴量のデータ量や画像処理の演算時間が増大する場合においても、入力画像全体の特徴量に基づいた画像処理を行う技術を提供することを目的にする。
【課題を解決するための手段】
【０００９】
本発明の第一の態様は、
２台以上の画像表示装置によって１つの画像を表示するシステムを構成する画像表示装置であって、
特徴量送受信を行う送受信処理のモードを決定する決定手段と、
前記送受信処理のモードに基づいて入力画像から特徴量を取得する取得手段と、
前記送受信処理のモードに基づいて他の画像表示装置との間で、特徴量を送受信する送受信手段と、
前記取得手段で取得した特徴量、および前記送受信手段で他の画像表示装置から受信した特徴量に基づいて前記入力画像を処理する画像処理手段と、
前記画像処理手段に処理された前記入力画像に基づいて画像を表示する表示手段と、
を有し、
前記送受信処理のモードは、第１モードと第２モードを含み、
前記第１モードは、送受信１回あたりの特徴量のデータ量が前記第２モードに比べ少なく、
前記第２モードは、時間あたりの特徴量送受信の回数が前記第１モードと比べ少ない、
ことを特徴とする画像表示装置である。
【００１０】
本発明の第二の態様は、
２台以上の画像表示装置によって１つの画像を表示するシステムを構成する画像表示装置が実行する制御方法であって、
特徴量送受信を行う送受信処理のモードを決定する決定工程と、
前記送受信処理のモードに基づいて入力画像から特徴量を取得する取得工程と、
前記送受信処理のモードに基づいて他の画像表示装置との間で、特徴量を送受信する送受信工程と、
前記取得工程で取得した特徴量、および前記送受信工程で他の画像表示装置から受信した特徴量に基づいて前記入力画像を処理する画像処理工程と、
前記画像処理工程で処理された前記入力画像に基づいて画像を表示する表示制御工程と、
を有し、
前記送受信処理のモードは、第１モードと第２モードを含み、
前記第１モードは、送受信１回あたりの特徴量のデータ量が前記第２モードに比べ少なく、
前記第２モードは、時間あたりの特徴量送受信の回数が前記第１モードと比べ少ない、
ことを特徴とする画像表示装置の制御方法である。
【００１１】
本発明の第三の態様は、
他の画像表示装置とマルチディスプレイシステムを構成する画像表示装置であって、
入力画像を取得する第１取得手段と、
前記マルチディスプレイシステムにおける自身の位置に応じて、前記画像表示装置の画面の複数の抽出領域を設定する第１設定手段と、
各抽出領域に対応する前記入力画像の第１特徴量を他の画像表示装置に出力する出力手段と、
前記第１特徴量を用いて前記入力画像を処理する画像処理手段と、
前記画像処理手段によって処理された前記入力画像に基づいて画像を表示する表示手段と、
を備えることを特徴とする画像表示装置である。
【００１２】
本発明の第四の態様は、
他の画像表示装置とマルチディスプレイシステムを構成する画像表示装置の制御方法であって、
入力画像を取得する取得工程と、
前記マルチディスプレイシステムにおける前記画像表示装置の位置に応じて、前記画像表示装置の画面の複数の抽出領域を設定する設定工程と、
各抽出領域に対応する前記入力画像の第１特徴量を他の画像表示装置に出力する出力工
程と、
前記第１特徴量を用いて前記入力画像を処理する画像処理工程と、
前記画像処理工程によって処理された前記入力画像に基づいて画像を表示する表示制御工程と、
を有することを特徴とする画像表示装置の制御方法である。
【発明の効果】
【００１３】
本発明によれば、画像処理に利用される特徴量のデータ量や画像処理の演算時間が増大する場合においても、入力画像全体の特徴量に基づいた画像処理を行うことができる。
【図面の簡単な説明】
【００１４】
【図１】実施形態１に係る画像表示装置の概略を表すブロック図である。
【図２】実施形態に係るマルチディスプレイシステムの構成例である。
【図３】実施形態に係るマルチディスプレイシステムでの表示例である。
【図４】実施形態１に係るモード決定部の概略を表すブロック図である。
【図５】実施形態に係る第１モードの処理を表す模式図である。
【図６】実施形態に係る第２モードの処理を表す模式図である。
【図７】実施形態に係る特徴量取得部の概略を表すブロック図である。
【図８】実施形態に係る全画面特徴量算出部の概略を表すブロック図である。
【図９】実施形態１に係る画像表示装置の処理を表すフロー図である。
【図１０】実施形態２に係る画像表示装置の概略を表すブロック図である。
【図１１】実施形態２に係るモード決定部の概略を表すブロック図である。
【図１２】実施形態３に係る画像表示装置の概略を表すブロック図である。
【図１３】実施形態３に係る表示位置設定部の概略を示すブロック図である。
【図１４】実施形態３に係るマルチディスプレイシステムでの表示例である。
【図１５】実施形態３に係るブロック設定部の概略を示すブロック図である。
【図１６】実施形態３に係る分割決定部の処理を表すフローチャートである。
【図１７】実施形態３に係る画像表示装置のブロックの配置を示す模式図である。
【図１８】実施形態３に係る各ブロックの隣接ブロックとの距離を表す模式図である。
【発明を実施するための形態】
【００１５】
以下、図面を参照して本発明の実施形態を説明する。なお、本発明の技術的範囲は特許請求の範囲によって確定されるものであって、以下の個別の実施形態によって限定されるわけではない。また、実施形態の中で説明されている特徴の組み合わせ全てが、本発明に必須とは限らない。
【００１６】
＜実施形態１＞
以下、本発明の実施形態１について説明する。
【００１７】
図２は本実施形態に係るマルチディスプレイシステムの構成例である。図２において、マルチディスプレイシステム２００は、画像表示装置２０１、画像表示装置２０２、画像表示装置２０３、画像表示装置２０４の４台の画像表示装置で構成されている。図２では画像表示装置の台数が４台であるが、２台以上であればよい。
【００１８】
画像表示装置２０１、画像表示装置２０２、画像表示装置２０３、画像表示装置２０４はバス２０５を介して互いに接続されており、それぞれの画像表示装置が処理している画像の特徴量を送受信することができる。バス２０５はＥｔｈｅｒｎｅｔ（登録商標）やＵＳＢ等を用いることができるが、それに限定するものではない。また、本実施形態では各画像表示置間の通信にバスを用いた構成を採用しているが、バスを用いた構成に限らない
。例えば、各画像表示装置間と１台のスイッチをＥｔｈｅｒｎｅｔで接続する構成であっても、各画像表示装置間がＢｌｕｅｔｏｏｔｈ（登録商標）などの無線で通信する構成であってもよく、各画像表示装置間が通信可能である構成であればよい。
【００１９】
図３はマルチディスプレイシステム２００による表示画面を表す表示例である。図３において、画像表示装置２０１、画像表示装置２０２、画像表示装置２０３、画像表示装置２０４はそれぞれ、画面全体の左上、左下、右上、右下の表示を担当している。この各画像表示装置により、マルチディスプレイシステム２００の画面全体として“Ａ”という文字が表示されている。
【００２０】
以下、画像表示装置２０１について詳細に説明する。なお、画像表示装置２０１、画像表示装置２０２、画像表示装置２０３、画像表示装置２０４は同様の構成を持つため、画像表示装置２０２、画像表示装置２０３、画像表示装置２０４については説明を省略する。また、以降、他の画像表示装置と記載がある場合は、画像表示装置２０２、画像表示装置２０３、および画像表示装置２０４を示すものとする。
【００２１】
図１は画像表示装置２０１の構成の概略を表すブロック図である。画像表示装置２０１は、画像入力部１０１、モード決定部１０２、特徴量取得部１０３、特徴量送受信部１０４、全画面特徴量算出部１０５、画像処理部１０６、補正値算出部１０７、表示部１０８を備える。
【００２２】
本実施形態では、画像入力部１０１はＨＤＭＩ（登録商標）、ＶＧＡ、ＤＶＩ等のインターフェースを利用してカメラや画像再生装置等の外部機器から繰り返し画像が入力される。入力された画像は画像入力部１０１から画像処理部１０６、および特徴量取得部１０３へ送信される。
【００２３】
モード決定部１０２は、特徴量送受信処理のモードと、入力画像から取得する特徴量のデータ量を決定する。特徴量送受信処理のモードを特徴量送受信部１０４へ、取得する特徴量のデータ量を特徴量取得部１０３へ通知する。モード決定部１０２、および特徴量送受信処理のモードの詳細については後述する。
【００２４】
特徴量取得部１０３は、入力画像から特徴量を取得する。画像の特徴量としては、輝度値のヒストグラムや、平均輝度レベル（ＡＰＬ）、各画素がエッジであるか否かを表すエッジ度数等がある。特徴量取得部１０３の詳細については後述する。
【００２５】
特徴量送受信部１０４は、モード決定部１０２から通知された特徴量送受信処理のモードに基づいて、特徴量取得部１０３によって取得された画像の特徴量を、他の画像表示装置へ送信する。また、特徴量送受信部１０４は、他の画像表示装置から画像表示装置２０１へ送信される特徴量を受信する。受信した特徴量は全画面特徴量算出部１０５へ送信される。
【００２６】
全画面特徴量算出部１０５は、特徴量取得部１０３、および特徴量送受信部１０４により取得された特徴量に基づいて、全ての画像表示装置に入力された画像全体の特徴量を算出する。全画面特徴量算出部１０５の詳細については後述する。
【００２７】
画像処理部１０６は、補正値算出部１０７によって算出された補正値に基づいて、画像入力部１０１により入力された画像に画像処理を行う。画像処理には例えば輝度の補正やエッジ強調やエッジ平滑化の処理等がある。
【００２８】
補正値算出部１０７は全画面特徴量算出部１０５により算出された画像の特徴量に基づ
いて補正値を算出する。補正値には例えば、画素ごとあるいはブロックごとの輝度値のオフセット値やゲイン値等がある。
【００２９】
表示部１０８は画像処理部１０６により画像処理を施された画像を、表示パネル等を表示制御することにより表示する処理を行う。なお。表示部１０８は液晶ディスプレイや有機ＥＬディスプレイやプロジェクタ等の機器により実現される。
【００３０】
次にモード決定部１０２について詳細に説明する。図４はモード決定部１０２の構成の概略を表すブロック図である。モード決定部１０２は、コンテンツ種別受付部４０１、送受信モード決定部４０２、バス速度測定部４０３、データ量決定部４０４を備える。
【００３１】
コンテンツ種別受付部４０１は、表示しようとするコンテンツ種別の設定を送受信モード決定部４０２へ通知する。コンテンツ種別の設定は、ユーザからの入力に基づいても、画像を入力する外部機器やＰＣからの入力に基づいてもよい。コンテンツ種別は例えば、動画、静止画がある。また、細分化された動画の種類に基づき、コンテンツ種別を決定してもよい。例えば、動画のジャンルに基づき、コンテンツ種別をスポーツ動画、映画、アニメ動画としてもよいし、動画の画面解像度に基づき、コンテンツ種別をＨＤ、ＦＨＤ、４Ｋとしてもよい。
【００３２】
送受信モード決定部４０２は、コンテンツ種別受付部４０１から通知されるコンテンツ種別に応じて特徴量送受信処理のモードを決定し、データ量決定部４０４、および特徴量送受信部１０４へ通知する。特徴量送受信処理のモードには、第１モード（処理速度優先モード）と第２モード（データ量優先モード）がある。本実施形態では、コンテンツ種別が動画の場合には特徴量送受信処理のモードを第１モードに、コンテンツ種別が静止画の場合は第２モードにそれぞれ決定する。この特徴量送受信処理のモードに基づいて、特徴量送受信部１０４において他の画像表示装置との間で特徴量の送受信の処理を行う。第１モードは第２モードに比べ送受信１回あたりの特徴量のデータ量が少なく、第２モードは第１モードに比べ時間あたりの特徴量送受信の回数が少なくなる。なお、特徴量送受信処理のモードは、第１モードと第２モードの２種類に限らず、３種類以上あってもよい。３種類以上の場合は、例えば、コンテンツ種別である静止画とスポーツ動画、映画、アニメ動画に基づき、特徴量送受信処理のモードを決定すればよい。
【００３３】
図５は第１モードの処理の概略を表す模式図である。図５において、時間経過による画像表示装置の状態を表現しており、期間５１０〜５３０の処理状態、入力画像、表示画像を示している。図５において、入力された画像は画像処理を施されて、１フレーム遅れで表示されることを表している。
【００３４】
以下にて、期間５２０における第１モードの処理を説明する。期間５２０の開始時点でフレームＮ−１の入力画像に基づいた補正値の算出が完了しており、その補正値を用いて画像処理されたフレームＮの画像を、期間５２０で画像表示装置が表示する。また、期間５１０にて取得したフレームＮの画像に基づいて、特徴量取得処理５２１、特徴量送受信処理５２２、特徴量合算処理５２３、補正値算出処理５２４を、期間５２０の１フレームの間で実施する。これにより、フレームＮの画像の特徴量に基づいた補正値で、フレームＮ＋１の画像の画像処理をさせることが可能になる。
【００３５】
ただし、第１モードでは特徴量送受信で利用することのできる時間が短くなる場合がある。例えば、フレームレートが６０Ｈｚ（１フレームが約１６．６ｍｓ）であり、送受信特徴量の取得処理、全ての画像表示装置の特徴量合算処理にそれぞれ１ｍｓ程度、補正値算出処理に１２ｍｓ程度の時間が必要であると仮定する。すると、特徴量送受信で利用することのできる時間は１６．６−１２−１−１＝２．６ｍｓとなり約２ｍｓしかないこと
になる。
【００３６】
図６は第２モードの処理の概略を表す模式図である。図６においても、図５と同様に、時間経過による画像表示装置の状態を表現しており、期間６１０〜６４０の処理状態、入力画像、表示画像を示している。図６に示すように本実施形態の第２モードでは特徴量の取得から補正値の算出までを２フレーム毎に行う。例えば、特徴量取得処理６２１、特徴量送受信処理６２２、特徴量合算処理６３３、特徴量算出処理６３４を、期間６２０と期間６３０の２フレームの間で実施している。そして、期間６２０と期間６３０で算出した、フレームＮの特徴量に基づいた補正値により画像処理されたフレームＮ＋２の画像を、期間６４０で表示している。また、フレームレートが６０Ｈｚ（１フレームが約１６．６ｍｓ）であり、特徴量の取得処理、特徴量の合算処理にそれぞれ１ｍｓ程度、補正値算出処理に１２ｍｓ程度の時間が必要であると仮定する。すると、特徴量送受信では１６．６−１２−１−１＋１６．６＝１９．２ｍｓとなり、約１９ｍｓの時間を利用できることになる。
【００３７】
第２モードでは第１モードと比較して、多くの時間を特徴量の送受信に割り当てることができる。そのため、第２モードでは第１モードより、多くの特徴量を送受信することができる。しかし、入力画像におけるフレームＮの特徴量に基づいた補正値が表示画像におけるＮ＋２、およびＮ＋３フレームへ適用されるため、特徴量の取得から実際に補正値が適用されるまでの遅延時間は大きくなる。そのため、例えば、静止画やスライドショーのように画像の切り替わりの少ないコンテンツに対しては第２モードを利用し、動画に対しては第１モードを利用する。
【００３８】
なお、本実施形態では、入力された画像は画像処理を施されて、１フレーム遅れで表示されるが、この遅れは１フレームに限らず、１フレーム以上であればよい。例えば、入力された画像は画像処理を施されて、２フレーム遅れで表示される場合、第１モードでは、入力画像におけるフレームＮの特徴量に基づいた補正値を、表示画像におけるフレームＮに適用することができる。
【００３９】
また、本実施形態では、第１モードにおいて、特徴量の取得から補正値の算出までを１フレーム間隔で行っているが、１以上のフレーム毎にこれらの処理を実施すればよい。また、第２モードにおける特徴量の取得から補正値の算出までの間隔は、第１モードにおける間隔より長ければよい。特徴量の取得から補正値の算出までの間隔が長くなるほど１回の補正で、多くの特徴量に基づいた高画質な画像処理が可能になる。
【００４０】
バス速度測定部４０３は、バス２０５のデータ転送速度を測定し、データ量決定部４０４へ通知する。バスのデータ転送速度は、例えば、あらかじめ決められたサイズのデータを画像表示装置２０１から他の画像表示装置へ送信し、送信に要した時間から算出できる。なお、前回測定したデータ転送速度、ユーザによる設定値をデータ転送速度として用いてもよい。
【００４１】
データ量決定部４０４は、送受信モード決定部４０２から通知されるモードとバス速度測定部４０３から通知されるバスのデータ転送速度に基づいて、入力画像から取得する特徴量のデータ量を決定し、特徴量取得部１０３へ通知する。例えば、特徴量送受信処理のモードが第１モードであり、バスのデータ転送速度が６ＭＢｙｔｅ／秒、特徴量送受信で利用することのできる処理時間を２ｍｓと仮定する。すると、送受信することのできるデータ量は合計で、６×１０２４×２／１０００≒１２ＫＢｙｔｅと計算される。また、画像表示装置の総数が４台であるマルチディスプレイシステムの場合、１台の画像表示装置から他の３台の画像表示装置へ特徴量を送信する必要があるため、３回特徴量を送受信する必要がある。よって、全ての画像表示装置で特徴量を共有するためには３回×４台＝１
２回の特徴量送受信をする必要がある。そのため、データ量決定部４０４により、１２ＫＢｙｔｅ／１２＝１ＫＢｙｔｅが入力画像から取得する特徴量のデータ量と決定される。
【００４２】
同様に、特徴量送受信処理のモードが第２モードであり、バスのデータ転送速度が６ＭＢｙｔｅ／秒、特徴量送受信で利用することのできる処理時間を１９ｍｓと仮定する。すると、入力画像から取得する特徴量のデータ量を、データ量決定部４０４が、（６×１０２４×１９／１０００）／１２≒１０ＫＢｙｔｅと決定する。なお、本実施形態では特徴量送受信処理の各モードにおける特徴量の取得から補正値の算出までの間隔があらかじめ決定しており、その間隔に基づき入力画像から取得する特徴量のデータ量を決定する。しかし、特徴量送受信処理の各モードごとに入力画像から取得できる特徴量のデータ量をあらかじめ決定しておき、それに基づいて、各モードの特徴量の取得から補正値の算出までの間隔を決定してもよい。
【００４３】
次に特徴量取得部１０３について詳細に説明する。図７は特徴量取得部１０３の構成の概略を表すブロック図である。特徴量取得部１０３は、分割数決定部７０１、特徴量算出部７０２を備える。ローカルディミングのような画像の位置ごとに補正を行う処理においては、入力画像を複数のブロックに分割し、分割したブロック毎に特徴量を取得することが一般的である。分割のブロック数が多いほど高画質化の面では望ましいが、特徴量のデータ量はブロック数に比例して大きくなる。分割数決定部７０１は、モード決定部１０２から通知されるデータ量に応じて、特徴量を取得する際のブロック分割の分割数を決定する。
【００４４】
例えば、１ブロックあたりの特徴量のデータ量が１００Ｂｙｔｅであるとあらかじめ設定すると、特徴量送受信処理のモードが第１モードである場合、画像表示装置あたりの分割数は１ＫＢｙｔｅ／１００Ｂｙｔｅ≒１０と計算される。同様に、１ブロックあたりの特徴量のデータ量が１００Ｂｙｔｅであるとすると、特徴量送受信処理のモードが第２モードである場合、分割数は１０ＫＢｙｔｅ／１００Ｂｙｔｅ≒１００と計算される。この時、画像全体のブロック分割数はそれぞれ、第１モードの場合は１０×４＝４０、第２モードの場合は１００×４＝４００となる。
【００４５】
特徴量算出部７０２は、分割数決定部７０１により決定された画像表示装置あたりのブロック分割数に従って入力画像を分割し、ブロック毎に画像を解析することによって輝度ヒストグラム等の画像特徴量を算出する。算出された特徴量は全画面特徴量算出部１０５へ送信されるとともに、特徴量送受信部１０４を介して他の画像表示装置へ送信される。
【００４６】
なお、本実施形態の特徴量取得部１０３は、１ブロックあたりの特徴量のデータ量をあらかじめ設定しておき、データ量決定部４０４で決定された特徴量のデータ量に基づき、ブロック分割数を変化させているが、その方法に限らない。例えば、ブロック分割数をあらかじめ設定しておき、データ量決定部４０４で決定された特徴量のデータ量に基づき、１ブロックあたりの特徴量のデータ量を変化させる等の方法でもよい。
【００４７】
次に全画面特徴量算出部１０５について詳細に説明する。図８は全画面特徴量算出部１０５の構成の概略を表すブロック図である。全画面特徴量算出部１０５は、特徴量記憶部８０１、特徴量合算部８０２を備える。特徴量記憶部８０１は、特徴量取得部１０３によって取得された特徴量、および特徴量送受信部１０４によって受信された特徴量を保持する。なお、全ての画像表示装置の特徴量は、マルチディスプレイシステムを構成する画像表示装置ごとに保持される。特徴量記憶部８０１は、マルチディスプレイを構成する全ての画像表示装置からの特徴量がそろうと、特徴量合算部８０２へ通知する。特徴量合算部８０２は、各画像表示装置で取得された特徴量の合算処理を行う。この合算処理により、全ての画像表示装置に基づいた特徴量が算出できる。特徴量の合算処理には、最大値、最
小値、平均値の算出等がある。
【００４８】
次に、画像表示装置２０１の処理の流れについて説明する。図９は画像表示装置２０１の処理を表すフローチャートである。画像表示装置２０１は、まず、外部機器から表示する画像を受信する（９０１）。次に受信した画像の特徴量を取得し（９０２）、取得した特徴量を他の画像表示装置へ送信する（９０３）。次に他の画像表示装置から、各画像表示装置で処理している画像の特徴量を受信し、全ての特徴量がそろうまで待機する（９０４）。全ての画像表示装置から特徴量を受信すると、ステップ９０２、およびステップ９０４で取得した特徴量に基づいて全画面特徴量を算出する（９０５）。次に全画面特徴量を基に補正値を算出し（９０６）、算出された補正値を用いて画像処理を行い（９０７）、表示する。以降、ステップ９０１〜ステップ９０７の処理を外部機器からの画像受信が終了するまで繰り返す（９０８）。
【００４９】
なお、本実施形態の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ＡＳＩＣ、ＦＰＧＡ、ＤＳＰ等のハードウェアによって実現されてもよいし、そうでなくてもよい。例えば、装置が、プロセッサーと、制御プログラムが格納されたメモリとを有していてもよい。そして、装置が有する少なくとも一部の機能部の機能が、プロセッサーがメモリから制御プログラムを読み出して実行することにより実現されてもよい。
【００５０】
（効果）
以上、説明してきたように実施形態１によれば、画像処理に利用される特徴量のデータ量や画像処理の演算時間が増大する場合においても、コンテンツ種別に応じて、画像処理を行うことができる。よって、動画であれば変化するシーンへ追従した画像処理が、静止画であれば多くの特徴量に基づいた高性能な画像処理が可能となる。
【００５１】
＜実施形態２＞
実施形態２は、実施形態１のコンテンツ種別の代わりに、入力画像からシーンチェンジを検出し、シーンチェンジ検出から一定の期間は特徴量送受信処理を第１モード、その他の期間は第２モードで処理を行うものである。
【００５２】
図１０は実施形態２に係る画像表示装置の構成の概略を表すブロック図である。実施形態１と比較すると、コンテンツ種別受付部４０１が削除され、シーンチェンジ検出部１００１が追加されている。また、モード決定部１００２は、実施形態１におけるモード決定部１０２と比較し処理に差異があるため、新たに符号を付与した。なお、実施形態１と同一の部分には同一の符号を付与し、詳細な説明は省略する。
【００５３】
シーンチェンジ検出部１００１は、全画面特徴量算出部１０５により算出される全画面特徴量に基づいてシーンチェンジを検出し、モード決定部１００２へ通知する。シーンチェンジの検出には、公知の技術を利用することができる。例えば、前のフレームと現在のフレームにおける入力画像の、ＡＰＬの変化量や輝度の最大値の変化量を算出し、算出された変化量が、あらかじめ設定した閾値以上である場合にシーンチェンジであると判定する方法がある。モード決定部１００２は、シーンチェンジ検出部１００１より通知されるシーンチェンジ情報に基づいて特徴量送受信処理のモードを決定する。
【００５４】
図１１はモード決定部１００２の構成の概略を表すブロック図である。なお、実施形態１におけるモード決定部１０２の構成と比較すると、送受信モード決定部１１０１と、実
施形態１における送受信モード決定部４０２の処理に差異があるため、新たに符号を付与した。送受信モード決定部１１０１は、特徴量送受信処理のモードの初期値を第２モードに決定する。その後、シーンチェンジ検出部１００１よりシーンチェンジが通知されると、特徴量送受信処理のモードを第１モードに決定し、一定期間シーンチェンジが通知されない状態が続いた場合、再度第２モードに決定する。なお、特徴量送受信処理のモードの初期値として、実施形態１と同様にコンテンツの種類に応じた特徴量送受信処理のモードを利用するものとしてもよい。その後、送受信モード決定部１１０１は、決定した特徴量送受信処理のモードをデータ量決定部４０４、および特徴量送受信部１０４へ通知する。
【００５５】
（効果）
以上説明してきたように実施形態２によれば、シーンチェンジが検出されてから一定期間においては第１モードを利用することで、変化するシーンへ追従した画像処理を施す。それ以外の期間においては第２モードを利用することで多くの特徴量に基づいた高画質な画像処理を施すことが可能となる。これにより、ユーザの手を介すことなく、入力された画像に応じて、人間にとって見やすい画像を画像表示装置が表示することができる。
【００５６】
＜実施形態３＞
実施形態１および実施形態２に記載のマルチディスプレイシステムを構成する画像表示装置は、画像表示装置間の特徴量の送受信処理のモードを、それぞれ特徴量の伝送量が異なるモード間で切り替える。実施形態３に記載のマルチディスプレイシステムを構成する画像表示装置は、マルチディスプレイシステムにおける当該画像表示装置の自身の位置に応じて特徴量を抽出する抽出領域を画面内に１つまたは複数、設定する。これにより、マルチディスプレイシステムを構成する画像表示装置の間での特徴量の転送量を抑制しつつ、マルチディスプレイシステムに表示される画像を好適に表示させることを可能とする。
【００５７】
以下、添付図面を参照して、本発明の実施形態３に係る画像表示装置について詳細に説明する。実施形態３に係る、マルチディスプレイシステム３２００は、画像表示装置３２０１、画像表示装置３２０２、画像表示装置３２０３、および画像表示装置３２０４の４台の画像表示装置で構成される。マルチディスプレイシステム３２００の構成は、図２に示した構成と同様であるとする。つまり、画像表示装置３２０１、画像表示装置３２０２、画像表示装置３２０３、および画像表示装置３２０４はバス３２０５を介して互いに接続される。
【００５８】
画像表示装置３２０１〜３２０４は、各画像表示装置が処理している画像の特徴量を、バス３２０５を介して送受信することが可能である。なお、マルチディスプレイシステムを構成する画像表示装置３２０１〜３２０４は、同様の構成を持つとする。以下では、画像表示装置３２０１について詳細に説明を行い、他の画像表示装置３２０２〜３２０４については説明を省略する。
【００５９】
図１２は画像表示装置３２０１の構成の概略を表すブロック図である。画像表示装置３２０１は、画像入力部３１０１、ブロック設定部３１０２、特徴量取得部３１０３、特徴量送受信部３１０４、全画面特徴量算出部３１０５、画像処理部３１０６、補正値算出部３１０７、表示部３１０８、および表示位置設定部３１０９を備える。
【００６０】
画像入力部３１０１、特徴量送受信部３１０４、全画面特徴量算出部３１０５、画像処理部３１０６、補正値算出部３１０７、および表示部３１０８は、実施形態１および実施形態２に記載の同名の機能ブロックと同等であることから、説明を省略する。
【００６１】
ブロック設定部３１０２は、表示位置設定部３１０９から取得したマルチディスプレイシステムにおける画像表示装置３２０１の位置に基づいて、特徴量を抽出（取得）する１以
上のブロック（抽出領域）を設定する。ブロック設定部３１０２は、表示部３１０８の画面のうち、他の画像表示装置から所定の距離より近い領域に含まれるブロックの大きさが、他の画像表示装置から所定の距離以上離れた領域に含まれるブロックの大きさより小さくなるようにブロックの配置を設定する。また、ブロック設定部３１０２は、他の画像表示装置と隣接する隣接領域に含まれるブロックの数が、隣接領域よりも他の画像表示装置からの距離が遠く隣接領域と同じ面積の領域に含まれるブロックの数よりも多くなるようにブロックの配置を設定する。具体的には、ブロック設定部３１０２は、表示部３１０８の画面の位置に応じて分割してブロックを決定する。ブロック設定部３１０２は、決定したブロックを示す情報を特徴量取得部３１０３へ出力する。ブロック設定部３１０２の詳細については後述する。なお、上記の距離は、対象のブロックと対象ブロックから最も近く隣接領域に含まれるブロックとの間に存在するブロックの数を示す。例えば、隣接領域に含まれるブロックであれば、距離が０である。
【００６２】
特徴量取得部３１０３は、ブロック設定部３１０２より入力されたブロックの配置に基づいて、入力画像に対応する各ブロックの特徴量を抽出する。画像の特徴量は、例えば、輝度値のヒストグラム、平均輝度レベル（ＡＰＬ）、および各画素がエッジであるか否かを表すエッジ度数のうち、少なくとも１つを示すパラメータであるとする。なお、画像の特徴量は、他のパラメータであってもよい。特徴量取得部３１０３が入力された各ブロックの特徴量を取得する方法は、実施形態１の同名の機能ブロックと同様であるとする。
【００６３】
表示位置設定部３１０９は、マルチディスプレイシステムにおける画像表示装置３２０１の表示位置を設定する。図１３は、表示位置設定部３１０９の機能ブロックを示すブロック図である。表示位置設定部３１０９は、位置取得部３３０１、および判定部３３０２を備える。
【００６４】
位置取得部３３０１は、マルチディスプレイシステム３２００における画像表示装置３２０１の位置を示す位置情報を取得する。例えば、位置取得部３３０１は、マルチディスプレイシステム３２００における複数の画像表示装置の配置を示す情報、および、マルチディスプレイシステム３２００において画像表示装置３２０１がどの位置に相当するかを示す情報を取得するとする。位置取得部３３０１は、位置情報を判定部３３０２へ通知する。
【００６５】
図１４は、マルチディスプレイシステム３２００による表示を表す模式図である。図１４（ａ）は、画像表示装置３２０１〜３２０４が、田の字（右上、右下、左上、左下）に配置されてマルチディスプレイシステム３２００を構成する場合を示す模式図である。図１４（ｂ）は、画像表示装置３２０１〜３２０４が、１つの方向に並べて配置されてマルチディスプレイシステム３２００を構成する場合を示す模式図である。図１４に示すように、同じ台数の画像表示装置で構成されるマルチディスプレイシステムであっても、その配置の方法は複数存在する。
【００６６】
図１４（ａ）に示すようにマルチディスプレイシステム３２００が構成されている場合、位置取得部３３０１は、画像表示装置３２０１の位置情報として、「田の字配置」（配置を示す情報）および「左上」（どの位置に相当するかを示す情報）を取得する。位置を示す情報は上述の形式に限らない。例えば位置取得部３３０１は、仮想的なマルチディスプレイ構成空間を設定し、構成空間における画像表示装置の位置を座標で示した情報等であってもよい。
【００６７】
位置情報は、ユーザが画像表示装置３２０１に表示された設定画面を操作することにより入力することや、各画像表示装置に画像やデータを入力可能な画像再生装置等の外部機器からメタデータ等の形式で入力されることにより取得してもよい。
【００６８】
判定部３３０２は、画像表示装置３２０１に隣接する他の画像表示装置が存在する方向を判定する。例えば、図１４（ａ）に示すようにマルチディスプレイシステム３２００が構成された場合、画像表示装置３２０１は、右方向に画像表示装置３２０２が存在し、下方向に画像表示装置３２０３が存在し、右下方向に画像表示装置３２０３が存在する。したがって、判定部３３０２は、画像表示装置３２０１に隣接する他の画像表示装置が存在する方向が、右方向、下方向、および右下方向であると判定する。同様に、図１４（ｂ）に示すようにマルチディスプレイシステム３２００が構成された場合、判定部３３０２は、画像表示装置３２０１に隣接する他の画像表示装置が存在する方向が、右方向であると判定する。
【００６９】
次に、ブロック設定部３１０２について詳細を説明する。図１５は、ブロック設定部３１０２の機能ブロックを示すブロック図である。ブロック設定部３１０２は、バス速度測定部３６０１、最大ブロック数決定部３６０２、および分割決定部３６０３を備える。
【００７０】
バス速度測定部３６０１は、バス３２０５のデータ転送速度を測定し、最大ブロック数決定部３６０２に出力する。データ転送速度の測定方法は、上述したバス速度測定部４０３の方法と同等であるとする。バス３２０５のデータ転送速度の測定は、マルチディスプレイシステムの初期化を指示された場合に実行されるとする。なお、測定は、マルチディスプレイシステムの動作中に、あらかじめ設定された時間ごとに実施してもよい。
【００７１】
最大ブロック数決定部３６０２は、画像表示装置の３２０１の取り得るブロックの最大数Ｎｍａｘを決定する。最大ブロック数決定部３６０２は、ブロックの最大数Ｎｍａｘを分割決定部３６０３に出力する。例えば、最大ブロック数決定部３６０２は、バス３２０５のデータ転送速度ｖ、転送処理期間Ｐ、ブロック１つあたりのデータ量Ｂ、およびマルチディスプレイシステムを構成する画像表示装置の数Ｎａに基づいて、画像表示装置の３２０１の取り得るブロックの最大数Ｎｍａｘを決定するとする。具体的には、最大ブロック数決定部３６０２は、最大数Ｎｍａｘを、下記の式１に基づいて取得する。
【００７２】
【数１】
2019041365.tif 000003
【００７３】
例えば、データ転送速度ｖが６ＭＢ／秒、処理時間Ｐが２ｍｓ、ブロック１つあたりのデータ量Ｂが２０Ｂｙｔｅ、およびマルチディスプレイシステムを構成する画像表示装置の数Ｎａが４台であるとすると、ブロックの最大数Ｎｍａｘは、５２ブロックとなる。
【００７４】
分割決定部３６０３は、最大ブロック数決定部３６０２より取得した最大ブロック数Ｎｍａｘおよび、表示位置設定部３１０９より取得した位置情報に基づいて入力画像の特徴量を取得するブロックの配置を決定する。具体的には、分割決定部３６０３は、ブロックの数が最大ブロック数Ｎｍａｘ以下であり、かつ、他の画像表示装置との距離が所定の距離よりも近いブロックの大きさが、そうでないブロックの大きさよりも小さくなるように、ブロックの配置を決定する。
【００７５】
図１６は分割決定部３６０３の処理を表すフローチャートである。分割決定部３６０３は、まず、入力画像を初期ブロック数Ｎｉで分割する（Ｓ３７０１）。分割決定部３６０３は、次に、分割決定部３６０３は、分割ブロック数ＮｔをＮｉで初期化する（Ｓ３７０２）。分割決定部３６０３は、基準ブロックサイズＳを初期ブロックサイズＳｉで初期化
する（Ｓ３７０３）。なお、初期ブロック数Ｎｉはあらかじめ設定された数でもよいし、ユーザからの入力で設定されてもよい。
【００７６】
分割決定部３６０３は、隣接ブロックまでの距離Ｄを０で初期化する（Ｓ３７０４）。ここで隣接ブロックとは、他の画像表示装置と隣接しているブロックのことである。図１４（ａ）の表示の場合、画像表示装置２０１においては右端および下端に隣接ブロックが存在することになる。また、Ｓｉには、初期ブロック数Ｎｉで画像を分割した際のブロックサイズを利用する。
【００７７】
分割決定部３６０３は、ブロックサイズがＳ以上であり、隣接ブロックまでの距離がＤであるブロックをさらに分割することのできるブロックの候補としてその数Ｎをカウントする（Ｓ３７０５）。分割決定部３６０３は、Ｎが０であるか否かを判定し（Ｓ３７０６）、Ｎが０である場合は終了する。Ｎが０でなかった場合は、分割決定部３６０３は、分割候補のブロックを分割した場合のブロック数Ｎｄを算出する（Ｓ３７０７）。
【００７８】
例えば１つのブロックを４つのブロックに分割する場合、ブロック数は３増えるため、Ｎ個のブロックを４つのブロックに分割する場合のブロック数Ｎｄは、Ｎｄ＝Ｎｔ＋Ｎ×３として算出される。
【００７９】
分割決定部３６０３は、Ｎｄをブロック数の最大値Ｎｍａｘと比較する（Ｓ３７０８）。ＮｄがＮｍａｘ以下である場合、分割決定部３６０３は、分割候補のブロックを分割する（Ｓ３７０９）。分割決定部３６０３は次に、ブロック数Ｎｔを分割後のブロック数Ｎｄで更新する（Ｓ３７１０）。分割決定部３６０３は、更新後のＮｔをＮｍａｘと比較する（Ｓ３７１１）。
【００８０】
分割決定部３６０３は、ＮｔがＮｍａｘ以上である場合は、処理を終了する。ＮｔがＮｍａｘより小さい場合、分割決定部３６０３は、基準ブロックサイズＳをＳ３７０９で分割されたブロックのサイズで更新し、再びＳ３７０５へ遷移する（Ｓ３７１２）。Ｓ３７０８でＮｄがＮｍａｘより大きい場合、分割決定部３６０３は、隣接ブロックまでの距離ＤをＤ＋１で更新し、再びＳ３７０５へ遷移する（Ｓ３７１３）。
【００８１】
図を用いて分割決定部３６０３の処理の具体例を説明する。図１７は画像表示装置３２０１のブロックの配置を示す模式図である。図１７（ａ）は初期ブロック数Ｎｉで入力画像を等分割して得られたブロックの配置を示す模式図である。図１７において、斜線部分は他の画像表示装置が表示している部分を表す。ここで、初期ブロック数Ｎｉは１６であり、最大ブロック数Ｎｍａｘ＝５２であるとする。分割候補ブロックは、右端部および下端部に設けられたブロックであり、分割候補ブロックの数Ｎは、７である。
【００８２】
Ｓ３７０７の処理により、Ｎｄは３７（Ｎｄ＝Ｎｔ＋Ｎ×３＝１６＋７×３＝３７）となる。ＮｄはＮｍａｘ＝５２以下であるため、分割決定部３６０３は、分割候補のブロックを分割し、Ｎｔを更新する。図１７（ｂ）は分割候補のブロックを分割したあとのブロックの配置を示す模式図である。分割候補ブロックが４つに分割される。
【００８３】
更新後のＮｔはＮｍａｘ＝５２より小さいため、分割決定部３６０３は、基準ブロックサイズＳを更新し、再度分割候補のブロック数Ｎをカウントする。分割候補ブロックは、図１７（ｂ）における右端部および下端部のブロックであり、分割候補ブロックの数Ｎは１５である。この場合、Ｎｄは８２（３７＋１５×３＝８２）となる。したがって、分割決定部３６０３は、ＮｄがＮｍａｘ＝５２より大きくなるため、隣接ブロックまでの距離Ｄに１加算してＤ＝１とする。
【００８４】
ここで、図を用いて隣接ブロックまでの距離Ｄについて説明する。図１８は、図１７（ｂ）のブロック配置における各ブロックの隣接ブロックまでの距離Ｄを表す模式図である。図１８において、斜線部分は、他の画像表示装置が表示している部分を表している。隣接ブロックは、他の画像表示装置の表示領域に隣接するブロックである。隣接ブロックの距離Ｄは、０である。また、隣接ブロックに接し、かつ他の画像表示装置の表示領域に隣接しないブロックは、隣接ブロックまでの距離Ｄ＝１である。同様に、距離Ｄが１のブロックに接し、かつ他の画像表示装置の表示領域および隣接ブロックに隣接しないブロックは、隣接ブロックまでの距離Ｄ＝２である。
【００８５】
図１７（ｂ）のブロック配置において、距離Ｄが１であるブロックを分割候補ブロックとすると、分割候補ブロック数Ｎは１３である。この場合、Ｎｄは７６（＝３７＋１３×３）となる。この場合においても、ＮｄがＮｍａｘ＝５２より大きいため、距離Ｄが２に更新される。
【００８６】
図１７（ｂ）のブロック配置において、距離Ｄが２であるブロックを分割候補ブロックとすると、分割候補ブロック数Ｎは５である。この場合、Ｎｄは５２（＝３７＋５×３）となる。ＮｄがＮｍａｘ＝５２以下となることから、分割候補ブロックを分割する。
【００８７】
図１７（ｃ）は、上述の分割候補ブロックの分割処理を実行したあとの、ブロックの配置を示す模式図である。上述の処理により、ブロックの配置および、分割の状態は図１７（ｃ）のようになる。分割後のＮｔはＮｍａｘ以上であるため、分割を終了し、ブロックの配置が決定される。なお、本実施形態では、図１６のフローのように、ブロックの配置を決定させたが、あらかじめ、ブロックの配置を複数パターン用意しておき、最大ブロック数Ｎｍａｘに応じ選択させてもよい。例えば、図１７（ａ）〜（ｃ）のブロックの配置を用意しておき、Ｎｍａｘが５２以上であれば図１７（ｃ）が選択され、Ｎｍａｘが３７〜５１であれば図１７（ｂ）が選択されるようにする。このように事前にブロック配置のパターンを複数用意し、そこから適切なブロック配置を選択することにより、画像表示装置の処理を簡潔にすることができる。
【００８８】
（効果）
上述処理によれば、マルチディスプレイシステムを構成する画像表示装置において、他の画像表示装置の表示領域から所定の距離より近い表示領域のブロックが、所定の距離以上離れた表示領域のブロックよりも小さくなるように決定される。これにより、他の画像表示装置の表示領域と隣接し、画像を表示する上で影響度が強い表示領域の特徴量を細かく取得することが可能となる。また、そうでない表示領域のブロックを大きく設定することで、画像表示装置から出力されるデータの総量の増大を抑制することが可能となる。なお、本実施形態での、所定の距離は図１６のフロー終了後の距離Ｄに対応した値である。
【００８９】
画像を複数のブロックに分割して画像処理を行う場合に、他の画像表示装置の表示と隣接する部分に優先的にブロックを割り当てる。したがって、特徴量交換のためのバスのデータ転送速度が不足する場合においても、入力画像全体の特徴量に基づいた画像処理を行うことが可能となる。
【００９０】
（変形例１）
実施形態３では、画像表示装置の３２０１の取り得るブロックの最大数Ｎｍａｘに基づきブロック配置を決定した。しかし、ブロックの分割数とブロックサイズを固定し、各ブロックごとに取得される特徴量のデータ量を変化させても同様の効果を得ることができる。このとき、画面の表示領域を等分割で分割したブロックを作成する。そして、他の画像表示装置の表示領域から所定の距離以上離れている表示領域のブロックからよりも、他の画像表示装置の表示領域から所定の距離より近い表示領域のブロックから多くの特徴量を
取得するようにする。
【００９１】
これは、実施形態３と同じ考え方で実現できる。具体的に、図１７（ａ）のように均等に１６つのブロックに分割される場合について説明する。ここでは、実施形態３におけるブロック配置決定前を示す図１７（ａ）の１つブロックに対応する、ブロック配置決定後を示す図１７（ｃ）のブロックの数で、各ブロックの特徴量を決定する。例えば、図１７（ａ）における最も左上のブロックは、図１７（ｃ）においても分割されておらず同じ大きさのブロックであるため、実施形態３と同様にブロック１つあたり特徴量を２０Ｂｙｔｅとされる。それに対し、図１７（ａ）における最も右下のブロックは、図１７（ｃ）において分割されており４つのブロックにされているため、ブロック１つあたり特徴量を２０Ｂｙｔｅ×４＝８０ｂｙｔｅとされる。これにより、図１７（ａ）のように均等にブロックが分割された配置においても、画像を表示する上で影響度が強い他の画像表示装置に近い画面は多くの特徴量に基づいて表示することができる。
【００９２】
（その他の実施形態）
上記の実施形態における各表示部は、画像を表示する表示モジュールを有していてもよい。表示モジュールは、画面に画像を表示するためのモジュールである。例えば、表示モジュールは、バックライトと、バックライトから照射された光を透過（変調）して画面に画像を表示する液晶パネルとを有する液晶ディスプレイモジュールであるとする。なお、自発光型の素子を複数有し画像を表示するディスプレイモジュールであってもよい。
【００９３】
例えば、表示モジュールの画面の解像度は、２Ｋであるとする。画像表示装置２０１〜２０４を組み合わせることにより、４Ｋの解像度で画像を表示可能なマルチディスプレイシステムを構成することが可能となる。
【００９４】
また、実施形態１〜３に記載の処理を複数組み合わせて実行することも可能である。さらに、実施形態１に示したように表示する画像のコンテンツ種別に応じて、実施形態３の処理を実行するか否かを制御することも可能である。また、実施形態２に示したようにシーンチェンジの検出から所定の期間内か否かに応じて、実施形態３の処理を実行するか否かを制御してもよい。
【００９５】
本発明は、上記の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００９６】
１０２：モード決定部
１０３：特徴量取得部
１０４：特徴量送受信部
１０６：画像処理部
２０１：画像表示装置
４０２：送受信モード決定部
【図１】
2019041365.tif 000004
【図２】
2019041365.tif 000005
【図３】
2019041365.tif 000006
【図４】
2019041365.tif 000007
【図５】
2019041365.tif 000008
【図６】
2019041365.tif 000009
【図７】
2019041365.tif 000010
【図８】
2019041365.tif 000011
【図９】
2019041365.tif 000012
【図１０】
2019041365.tif 000013
【図１１】
2019041365.tif 000014
【図１２】
2019041365.tif 000015
【図１３】
2019041365.tif 000016
【図１４】
2019041365.tif 000017
【図１５】
2019041365.tif 000018
【図１６】
2019041365.tif 000019
【図１７】
2019041365.tif 000020
【図１８】
2019041365.tif 000021